(57)【要約】【課題】簡単な操作で番組予約できる機能を備えた車載用受信器を得る。【解決手段】車載用受信器は、ＥＰＧデータの取得手段３０・３２と、前記ＥＰＧデータを記憶するメモリ２２と、前記記憶されたＥＰＧデータの内の１個のチャンネルの少なくとも１個の時間帯の番組名をチャンネル名および時間と共に表示する表示手段２と、前記チャンネルを連続的に変化させて選択する第１のスイッチ手段と６、前記時間帯を連続的に変化させて選択する第２のスイッチ手段７と、前記表示手段２に表示された番組のデータを予約データとして前記メモリに書き込む手段９・３４を備える。【選択図】      図１
2004200797.tif 000002
【特許請求の範囲】
【請求項１】
ＥＰＧデータの取得手段と、前記ＥＰＧデータを記憶するメモリと、前記記憶されたＥＰＧデータの内の１個のチャンネルの少なくとも１個の時間帯の番組名をチャンネル名および時間と共に表示する表示手段と、前記チャンネルを連続的に変化させて選択する第１のスイッチ手段と、前記時間帯を連続的に変化させて選択する第２のスイッチ手段と、前記表示手段に表示された番組のデータを予約データとして前記メモリに書き込む手段を備える、車載用受信器。
【請求項２】
請求項１に記載の車載用受信器において、前記表示手段はラジオのチャンネル表示用ディスプレイである、車載用受信器。
【請求項３】
ＥＰＧデータの取得手段と、前記ＥＰＧデータを記憶するメモリと、前記記憶されたＥＰＧデータの内の１個のチャンネルの少なくとも１個の時間帯の番組名をチャンネル名および時間と共に表示する表示手段と、ナビゲーションシステムの経路メモリ内に記憶された経路データを参照して前記表示するチャンネルを絞り込むための手段と、前記絞り込まれた範囲内で前記チャンネルを連続的に変化させて選択する第１のスイッチ手段と、前記時間帯を連続的に変化させて選択する第２のスイッチ手段と、前記表示手段に表示された番組のデータを予約データとして前記メモリに書き込む手段を備える、車載用受信器。
【請求項４】
ＥＰＧデータの取得手段と、前記ＥＰＧデータを記憶するメモリと、前記記憶されたＥＰＧデータの内の１個のチャンネルの少なくとも１個の時間帯の番組名をチャンネル名および時間と共に表示する表示手段と、前記チャンネルを連続的に変化させて選択する第１のスイッチ手段と、前記時間帯を連続的に変化させて選択する第２のスイッチ手段と、前記表示手段に表示された番組のデータを予約データとして前記メモリに書き込む手段と、さらに前記予約された番組の時間に達した場合番組予約のあることを報知するための手段を備える、車載用受信器。
【請求項５】
請求項４に記載の車載用受信器であって、さらに、予約番組を受信するための切換スイッチを備える、車載用受信器。
【請求項６】
請求項１乃至５の何れか１項に記載の車載用受信器であって、さらに家庭用ビデオ装置で予約された番組予約データを前記メモリに入力するための手段を備える、車載用受信器。
【発明の詳細な説明】
【０００１】
【発明の属する技術分野】
本発明は、車載用受信器に関し、特にテレビ、ラジオの番組予約機能を備えた車載用受信器に関する。
【０００２】
【従来の技術】
地上波あるいは衛星デジタル放送の開始に伴い、テレビまたはラジオでは数多くのチャンネルで番組が提供されるようになっている。これに伴って、多くの番組中から所望の番組を選択し、選択した番組の視聴予約を可能とする機能を備えた受信器が開発されている（例えば、特許文献１参照）。この様な受信器では、放送信号と多重で、あるいは単独で送信されるＥＰＧ（電子番組ガイド）データを受信してこれをモニタに表示することにより、ユーザが任意の番組を選択して視聴予約出来るようにされている。
【０００３】
【特許文献１】
特開平１１−２６６４１４号公報。
【０００４】
【発明が解決しようとする課題】
上記のような番組の予約機能を車載用の受信器に備えることが望ましい。予め番組予約をしておくことで、是非見たい、あるいは聞きたい番組があったとしてもその時間を気にすることなく、ドライバは安心して運転に専念することができる。ところが車載用の受信器の場合、そのモニタ画面は家庭用のモニタ画面よりかなり小さく、従ってこのような画面上に番組の一覧表を表示しても予約を希望する番組を選択する作業にかなりの困難を伴う。車載装置の場合、ドライバに機器操作のための負担を与えることは望ましくない。
【０００５】
従って本発明は、ドライバあるいはユーザが簡単に番組予約をすることができる装置を提供することを目的とする。
【０００６】
【課題を解決するための手段】
本発明の車載用受信器は、上記課題を解決するためになされたものであって、その第１の装置は、ＥＰＧデータの取得手段と、前記ＥＰＧデータを記憶するメモリと、前記記憶されたＥＰＧデータの内の１個のチャンネルの少なくとも１個の時間帯の番組名をチャンネル名および時間と共に表示する表示手段と、前記チャンネルを連続的に変化させて選択する第１のスイッチ手段と、前記時間帯を連続的に変化させて選択する第２のスイッチ手段と、前記表示手段に表示された番組のデータを予約データとして前記メモリに書き込む手段、を備えている。
【０００７】
上記構成の装置では、取得されメモリ中に記憶されたＥＰＧデータの内、１個のチャンネルの少なくとも１個の時間帯の番組名をチャンネル名および時間と共に表示装置に表示するので、ユーザあるいはドライバは表示された番組を選択するか否かの判断を求められるだけである。従って、ユーザにかかる番組予約操作のための負担は大幅に軽減される。番組予約機能を起動した場合に、表示手段上に自動的に表示されるチャンネルは、前回の番組予約において選択されたチャンネルや、もしくはユーザによって設定されたチェンネルとし、さらに表示される時間帯は現在の時間、あるいは番組予約が可能な次の時間とする。
【０００８】
さらに、チャンネルおよび時間帯の選択は、第１、第２のスイッチを独立して操作することによって連続的に行うことが可能である。従って、番組の選択も非常に容易である。
【０００９】
本発明の第２の装置は、ＥＰＧデータの取得手段と、前記ＥＰＧデータを記憶するメモリと、前記記憶されたＥＰＧデータの内の１個のチャンネルの少なくとも１個の時間帯の番組名をチャンネル名および時間と共に表示する表示手段と、ナビゲーションシステムの経路メモリ内に記憶された経路データを参照して前記表示するチャンネルを絞り込むための手段と、前記絞り込まれた範囲内で前記チャンネルを連続的に変化させて選択する第１のスイッチ手段と、前記時間帯を連続的に変化させて選択する第２のスイッチ手段と、前記表示手段に表示された番組のデータを予約データとして前記メモリに書き込む手段、を備えている。
【００１０】
上記構成の装置では、ＥＰＧデータの内、自車の走行予定経路に対応して予約可能なチャンネルが絞り込まれるので、さらに番組予約の作業が容易となる。従って、例えば京阪神を走行しているにもかかわらず、奈良、和歌山などのチャンネルが予約可能として表示手段に表示されるような無駄がなくなる。
【００１１】
本発明の第３の装置は、ＥＰＧデータの取得手段と、前記ＥＰＧデータを記憶するメモリと、前記記憶されたＥＰＧデータの内の１個のチャンネルの少なくとも１個の時間帯の番組名をチャンネル名および時間と共に表示する表示手段と、前記チャンネルを連続的に変化させて選択する第１のスイッチ手段と、前記時間帯を連続的に変化させて選択する第２のスイッチ手段と、前記表示手段に表示された番組のデータを予約データとして前記メモリに書き込む手段と、さらに前記予約された番組の時間に達した場合番組予約のあることを報知するための手段、を備えている。
【００１２】
上記構成の装置によれば、予約番組の放送時間に達した場合、例えば車載用スピーカを介して番組予約のあることをユーザに報知する。これによって、ユーザはそれまで聞いていた番組あるいは音楽を聴きつづけるか、予約番組に切り換えるかを選択することが可能となる。
【００１３】
【発明の実施の形態】
図１は、本発明の１実施形態にかかる車載用受信器の構成を概略的に示す図面であり、特に車載用受信器の操作パネル部における構成を示している。図において、１はカーラジオあるいはカーオーディオ装置の操作パネルの前面を示し、ここには、一行または数行表示のディスプレイ２およびソース選択ボタン３〜５、チャンネル選択ボタン６、ボリューム選択ボタン７、番組予約ボタン８および決定ボタン９が設けられている。ソース選択ボタン３〜５のうち、ボタン３はＡＭあるいはＦＭラジオのＯＮ／ＯＦＦスイッチ、ボタン４はＣＤ／ＭＤのＯＮ／ＯＦＦスイッチ、５はＴＶのＯＮ／ＯＦＦスイッチである。
【００１４】
チャンネル選択ボタン（周波数選択ボタン）６およびボリュームボタン７は、アップ・ダウンスイッチで構成され、チャンネルまたはボリュームを上下方向に連続して変更する。ディスプレイ２は、例えばボタン３が操作されてラジオあるいはテレビがオンとなっている場合、現在選局されているチャンネル名、あるいは周波数が表示される。ＣＤ、ＭＤの場合は、例えばトラック番号等が表示される。
【００１５】
本実施形態にかかる装置では、番組予約のためのボタン８が設けられている。ボタン８が操作される（ＯＮとされる）と、本装置の番組予約機能が起動され、ディスプレイ２には次の時刻の番組名が表示される。この表示のためのデータは、放送局２０から例えば一定時間ごとに放送データと共に、あるいはＥＰＧデータとして単独で送信されてくるものを受信手段で受信した後、一旦メモリ２２中に記憶しておいたものである。
【００１６】
あるいは、ＥＰＧデータはインターネットを介して取得され、メモリ２２に記憶される。または、後述する他の実施形態の場合のように、家庭用ビデオ装置でビデオ予約されたデータを、インターネットを介して車載用携帯電話にメール送信し、これをメモリ２２に取り込んだものでも良い。
【００１７】
図２は、メモリ２２に記憶されている番組表の一例を示す。現在の時間が、例えば７時半であると、予約ボタン８を操作することによって予約モードが起動され、ディスプレイ２には次の時刻、８：００におけるｃｈ．Ａ１の番組「８時のニュース」が表示され、予約可能となる。チャンネルは、前回予約したチャンネルが優先的に表示される。
【００１８】
予約する番組の選択は、アップ・ダウンスイッチ６を操作することによって行われる。図１のディスプレイ２’は、スイッチ６を操作してチャンネルをｃｈＡ１からｃｈＡ３に変えることにより、番組の表示が図２の番組表に従って「８時のニュース」から「フランス語会話基礎」になったことを示している。次にボリュームボタン７を操作して時間を８：００から９：００に変えると、番組の表示が図２の番組表に従って「ドイツ語会話」に変更される。この状態をディスプレイ２”に示す。
【００１９】
このようにして予約する番組の選択が終わると、決定ボタン９を操作することにより、ディスプレイ２”に表示された内容が予約データとしてメモリ２２に記憶される。尚、本発明の他の実施形態として、チャンネル選択ボタン６で予約する番組の選択を行い、ボリュームボタン７でチャンネルの選択を行う構成としてもよいことは勿論である。
【００２０】
図３は、図１に示す番組予約機能を備えた車載用受信器の構成を示すブロック図である。図において、３０はデジタル放送を受信するアンテナ、３２は受信信号を処理してＥＰＧデータを抽出する受信部、３４はマイクロコンピュータ等から成る制御部、２２はＥＰＧデータおよび番組予約データを保存する前述のメモリ、３６は計時のための時計、３８は番組データを表示する表示部、４０はユーザの操作を入力するための操作部を示す。
【００２１】
本受信器がラジオの場合は、受信部３２には増幅器４２を介してスピーカ４４が接続されている。また、本受信器がテレビの場合はさらにＴＶモニタ４６が接続されている。表示部３８は、図１に示すディスプレイ２で構成される。さらに操作部４０は、図１の操作パネル１における各種操作ボタン３〜９で構成される。
【００２２】
上記表示部３８は、図１に示す様にカーラジオのチャンネル表示用ディスプレイであっても良く、あるいはＴＶモニタ４６の一部、ナビゲーションシステムのモニタの一部を利用して構成しても良い。表示部３８をＴＶモニタの一部、ナビゲーションシステムのモニタの一部で構成した場合は、操作部４０の各ボタン、あるいは一部のボタンはタッチパネルを利用してモニタの一部分にポップアップ表示する構成としても良い。
【００２３】
ディスプレイ２上には、１個のチャンネルの１個の時間の番組が、１行で表示される。あるいは、１個のチャンネルの、連続する２個の時間の番組が２行で表示されても良いが、決定ボタン９で決定される行は、予め特定された行であり、表示手段内で選択可能ではない。他の行の番組を予約のために選択するには、ボリュームボタン７を操作してその行の番組を決定のための特定の行に移動させる。
【００２４】
図４は、図３の装置において番組予約を行うための手順を示すフローチャートであり、さらに図５は番組予約を実行するための手順を示すフローチャートである。以下に、これらのフローチャートを参照して、本実施形態にかかる装置の動作を説明する。
【００２５】
図４において、番組予約プログラムは制御部３４がユーザによる予約ボタンの操作を検出することによって起動される（ステップＳ１）。これによって、制御部３４は、メモリ２２中に記憶されているＥＰＧデータから、最先に予約されたチャンネルの次に番組予約可能な時刻の番組データを取り出し、これをディスプレイ２上に表示する（ステップＳ２）。
【００２６】
次に、操作部３４は、ユーザによるラジオボタンの操作があったか否かを判定する（ステップＳ３）。本実施形態の装置では、予約ボタン８をオンとすることによって自動的にテレビの番組予約プログラムが立ち上がるようにされているので、ユーザがラジオ放送の番組予約を希望する場合は、ラジオボタン３を操作してラジオ放送の番組予約プログラムを立ち上げる必要がある。
【００２７】
ステップＳ３でＹｅｓの場合は、ディスプレイ２上には予約可能なラジオの番組名が表示される（ステップＳ４）。表示させる番組は、ステップＳ２の場合と同様に、最先に予約されたチャンネルの次に番組予約可能な時刻における番組である。次に、ステップＳ５において、チャンネル選択ボタン６のアップ・ダウン操作に基づいて予約を希望するチャンネルの選択入力を行う。ステップＳ６では、ボリュームボタン７のアップ・ダウン操作に基づいて、日時の選択入力を行う。これによって、ディスプレイ上に、予約しようとする番組がそのチャンネル名および時間と共に表示される。なお、ステップＳ５およびステップＳ６では操作順序が前後しても良い。
【００２８】
ステップＳ７では、ユーザによる決定ボタンの操作があったか否かを検出する。ステップＳ７でＮＯの場合は、ステップＳ５に戻って再びチャンネルおよび日時の選択入力を実行する。ステップＳ７でＹＥＳの場合は、ディスプレイ２に表示された番組の予約データをメモリ２２に記憶して処理を終了する。
【００２９】
予約された番組へのチャンネルの切換は、図５に示すフローチャートに従って行われる。予約実行プログラムは、一定時間間隔（例えば１分間隔）で実行されるプログラムである。プログラムが起動されると、制御部３４は時計３６を参照して、予約時刻に達したか否かを検出する（ステップＰ１）。ステップＰ１でＮＯの場合、処理を終了する（ステップＰ２）。ステップＰ１でＹＥＳの場合、ステップＰ３でメモリ２２中から予約条件を読み出す。
【００３０】
次のステップＰ４では、例えばラジオのスピーカを用いて、ユーザ（ドライバ）に予約された番組が放送される時間になったことを報知する。このとき、ブザー音のような単なる報知であっても良く、あるいは予約された内容を合成音声で報知することも可能である。本受信器が左右のスピーカを備えるステレオ機器である場合、左右何れかのスピーカから予約内容の報知を行う構成としても良い。このとき、他方のスピーカは、現在進行中の番組の音声を放送し、あるいはＣＤ、ＭＤで実演中の音楽等を演奏する。この報知は、報知音と共に、あるいは単独で、ディスプレイ２上に予約内容を表示させる構成としても良い。
【００３１】
ステップＰ５では、ユーザに予約実行の意思があるか否かが判定される。この意思は、例えば、この時点でドライバあるいはユーザが切換ボタン（図７参照）を操作することによって表示される。ステップＰ５でＮＯの場合、制御部３４はステップＰ６においてメモリ２２中の現在の時刻に関する予約データを消去し、プログラムを終了する（ステップＰ７）。
【００３２】
ステップＰ５でＹＥＳの場合、予約データに基づいて受信部３２でチャンネルの切換が行われ、ＴＶモニタ４６あるいはスピーカ４４を介して、予約された番組が放送される。この後、当該番組に関する予約データがメモリ２２中において消去され（ステップＰ９）、番組実行のプログラムが終了される。
【００３３】
図５に示した実施形態は、予約した時間に達した時、予約番組に自動的に切り換えることなく、ユーザの意思を確認して切り換える構成である。しかしながら、予約時間に達すると予約番組に自動的に切り替わる構成としても良いことは勿論である。この場合は、図１に示す如く、切換ボタンは必要ない。
【００３４】
図６は、本発明の第２の実施形態にかかる車載用受信器の構成を示すブロック図である。本装置は、受信器がナビゲーションシステムに接続されていることを特徴とし、ナビゲーションシステムで得られた経路情報、例えば自車の現在地、目的地またはその経路上の地域に関する情報に基づいて、ＥＰＧデータの絞り込みを行うようにしたものである。
【００３５】
図６において、５０はＤＶＤ地図、５２はＤＶＤプレーヤ、５４はナビゲーションシステムのためのモニタ、５６は経路メモリを示す。なお、その他の構成部材は、図３に示す構成部材と同じかまたは類似のものを示すので、その説明は省略する。
【００３６】
経路メモリ５６は、ナビゲーションシステムに出発位置、到着位置を入力することによって得られる経路に関するデータが記録されている。したがって、このようなナビゲーションシステムが本発明の受信器と接続されている場合、制御部３４のマイクロコンピュータは、番組予約プログラムの起動と共に、経路情報に基づいてＥＰＧデータの絞り込みを行い、自車の走行経路上で受信可能な放送局の番組のみを番組予約のために提供する。
【００３７】
例えば、ナビゲーションシステムにおいて、現在地神戸、経由地大阪、目的地京都として入力されている場合、経路メモリ５６はＤＶＤ地図５０に基づいて神戸から大阪、京都への経路のデータを記憶している。この状態で、ユーザが番組予約ボタンを操作すると、制御部３４のマイコンはメモリ２２内のＥＰＧデータに自動的に絞り込みを掛け、神戸から京都までの経路上で視聴が可能な放送局のチャンネルのみを選択し、これらをディスプレイ２上に表示可能とする。これによって、予約番組の選択がさらに容易となる。
【００３８】
なお、本装置では、カーオーディオの操作パネルに代わって、ナビゲーションシステムのモニタ５４を表示部として用いる。図７は、このようなモニタの一例を示す。本装置では、予約ボタン６０のオンによって、タッチパネル状の表示画面６２内に決定ボタン６４、切換ボタン６６、ラジオ切換ボタン６８および予約番組表示用ウインドウ７０がポップアップ表示される。図において７２、７４はチャンネル選択スイッチ、ボリュームスイッチである。
【００３９】
図７のモニタでは、番組の予約が決定スイッチ６４のオンによって終了すると、ポップアップ表示されていた各ボタン６４、６６、６８さらにウインドウ７０は、画面から消去される。予約時間に到達すると、切換スイッチ６６が自動的にポップアップ表示され、予約番組へ切り換えるか、現在の状態を維持するかに関するユーザの意思の確認が可能となる。
【００４０】
図８は本発明のさらに他の実施形態にかかる装置の構成を示すブロック図である。本実施形態では、制御部３４が携帯電話８０と接続されており、この携帯電話８０を介して家庭用ビデオ装置８２に登録されている番組の予約データを、車載用ＴＶの番組予約装置に取り込むようにしたことを特徴としている。
【００４１】
この装置では、ユーザが見たいテレビ番組を家庭用ビデオ装置８２に予約登録しておき、そのデータをメールとして車載用の携帯電話８０に送信する。携帯電話８０は制御部３４に接続されることにより、受信されたメールの内容はメモリ２２中に予約データとして入力される。これによって、家庭内で車載用受信器（特にテレビ）のための番組予約が可能となる。
【００４２】
なお、図８において、８４、８６はＣＤおよびＭＤプレーヤを示し、さらに８８は受信部３２を含めた各プレーヤからの出力を選択して増幅回路４２Ｌ、４２Ｒに送るためのセレクタである。この装置では、予約の実行時において予約時間になると、マイコンが作動して左右のスピーカ４４Ｌまたは４４Ｒを選択し、選択されたスピーカを介して予約時間が来たことを知らせる。選択されなかったスピーカは、現在放送中の番組、あるいはＣＤ、ＭＤプレーヤによって演奏中の曲をそのまま演奏する。
【００４３】
【発明の効果】
以上に説明したように、本発明の車載用受信器では、メモリ中に記憶されたＥＰＧデータの内の１個のチャンネルの少なくとも１個の時間帯の番組名を表示手段に表示させ、チャンネルおよび日時の選択を独立した２個のスイッチで連続的に変化させて行うことにより、小さいモニタであっても、番組予約を簡単に行う事ができる。そのため、ドライバあるいはユーザは、見たいあるいは聞きたい番組の時間を気にすることなく、運転に専念することができる。
【図面の簡単な説明】
【図１】本発明の１実施形態にかかる車載用受信器の操作パネルの構成を示す概略図。
【図２】番組表の１例を示す図。
【図３】本発明の１実施形態にかかる車載用受信器の構成を示すブロック図。
【図４】図３の装置において番組予約をする場合の操作手順を示すフローチャート。
【図５】図３の装置において予約番組の実行をする場合の操作手順を示すフローチャート。
【図６】本発明の他の実施形態にかかる車載用受信器の構成を示すブロック図。
【図７】ナビゲーションシステムのモニタに表示された番組予約ウインドウを示す図。
【図８】本発明のさらに他の実施形態にかかる車載用受信器の構成を示すブロック図。
【符号の説明】
１…操作パネル
２、２’、２”…ディスプレイ
３〜５…ソース選択ボタン
６…チャンネル選択ボタン
７…ボリュームボタン
８…予約ボタン
９…決定ボタン
２２…メモリ
３２…受信部
３４…制御部
３８…表示部
４０…操作部
４４…スピーカ
５４…モニタ
５６…経路メモリ
８０…携帯電話
【図１】
2004200797.tif 000003
【図２】
2004200797.tif 000004
【図３】
2004200797.tif 000005
【図４】
2004200797.tif 000006
【図５】
2004200797.tif 000007
【図６】
2004200797.tif 000008
【図７】
2004200797.tif 000009
【図８】
2004200797.tif 000010